【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
組織処置のための装置であって、
伸長管状部材と、
前記伸長管状部材上の支持体であって、前記支持体は、組織を貫通するように成形された複数の返しを備える、支持体と、
前記支持体上の放射性物質であって、前記複数の返しは、前記放射性物質を備える、放射性物質と、
を備え、前記支持体は、前記放射性物質を用いて前記組織を処置するために、前記伸長管状部材から離れて外向きに拡張し、前記組織に対して前記支持体を配置するように構成される、
装置。
【請求項２】
拡張可能な前記支持体は、前記組織を前記支持体と係合させ、広いプロファイル構成における前記支持体を用いて前記組織を処置するために、狭いプロファイル構成から前記広いプロファイル構成まで拡張するように構成される、請求項１に記載の装置。
【請求項３】
拡張可能な前記支持体は、前記支持体および前記伸長管状部材の除去のために、前記組織から離れて第２の狭いプロファイル構成まで後退するように構成される、請求項２に記載の装置。
【請求項４】
前記放射性物質は、前記伸長管状部材および支持体が患者から除去されるときに、前記支持体とともに前記放射性物質を除去するために、前記第２の狭いプロファイル構成における前記支持体に保定される、請求項３に記載の装置。
【請求項５】
前記放射性物質は、前記患者から除去するために前記支持体上で保定される複数の放射性シードを含む、請求項４に記載の装置。
【請求項６】
前記放射性物質は、流動性材料を含み、前記支持体は、前記流動性放射性物質を保定するように、１つまたは複数の内部チャネルを備える、請求項４に記載の装置。
【請求項７】
前記伸長管状部材は、前記支持体が拡張構成を備えるときに、体液を通過させるように管腔を備え、前記体液は、尿または間質液のうちの１つまたは複数のものを含む、請求項１に記載の装置。
【請求項８】
前記伸長管状部材は、拡張可能な前記支持体を膨張させるための第２の管腔を備える、請求項１に記載の装置。
【請求項９】
拡張可能な前記支持体は、バルーン、または、複数の連結部材と接続される複数の支柱のうちの１つまたは複数のものを備える、請求項１に記載の装置。
【請求項１０】
前記支持体は、前記支持体が拡張プロファイルを備えるときに、前記組織を処置する放射束密度を提供するために、空間的場所に前記放射性物質を配置するように構成される、請求項１に記載の装置。
【請求項１１】
前記放射性物質は、複数のシードを備え、前記複数のシードは、前記複数のシードを用いて前記組織を処置するために、前記支持体上の複数の場所に分配される、請求項１に記載の装置。
【請求項１２】
前記複数のシードのそれぞれは、所定の時間にわたって所定の放射線処置プロファイルを提供するために、半減期を有する放射性同位体の塊を含む、請求項１１に記載の装置。
【請求項１３】
前記複数のシードは、前記複数の場所に配列され、前記複数の場所のそれぞれから離れて前記支持体と係合させられる組織に放射線処置プロファイルを提供するために、少なくとも約１０の十分な数を含む、請求項１１に記載の装置。
【請求項１４】
前記複数の返しのそれぞれは、前記支持体上の基部から先端まで延在する長さを備え、前記長さは、前記支持体が器官の内側に配置され、拡張プロファイルを備えるときに、前記器官の被膜を貫通するために十分である、請求項１に記載の装置。
【請求項１５】
前記器官は、前立腺を含み、前記放射性物質は、被膜の外側に前記放射性物質を配置して転移性癌を処置するために、前記先端の近傍に位置する、請求項１４に記載の装置。
【手続補正２】
【補正対象書類名】明細書
【補正対象項目名】００１９
【補正方法】変更
【補正の内容】
【００１９】
本発明の実施形態は、具体的には、前立腺の経尿道的処置を対象としているが、本発明のある側面はまた、脳、心臓、肺、腸、眼、皮膚、腎臓、肝臓、膵臓、胃、子宮、卵巣、精巣、膀胱、耳、鼻、口等の他の器官、骨髄、脂肪組織、筋肉、腺および粘膜組織、脊髄および神経組織、軟骨等の軟組織、歯、骨等の硬質生物組織、ならびに洞、尿管、結腸、食道、肺の通路、血管、および喉等の身体管腔ならびに通路を処置および修正するために使用されてもよい。本明細書に開示されるデバイスは、既存の身体管腔を通して挿入されるか、または身体組織に作成される開口部を通して挿入されてもよい。
本発明は、例えば、以下を提供する。
（項目１）
組織処置のための装置であって、
伸長管状部材と、
前記伸長管状部材上の支持体と、
前記支持体上の放射性物質と、
を備え、前記支持体は、前記放射性物質を用いて前記組織を処置するために、前記伸長管状部材から離れて外向きに拡張し、前記組織に対して前記支持体を配置するように構成される、
装置。
（項目２）
前記拡張可能支持体は、前記組織を前記支持体と係合させ、広いプロファイル構成における前記支持体を用いて前記組織を処置するために、狭いプロファイル構成から前記広いプロファイル構成まで拡張するように構成される、項目１に記載の装置。
（項目３）
前記拡張可能支持体は、前記支持体および前記伸長管状部材の除去のために、前記組織から離れて第２の狭いプロファイル構成まで後退するように構成される、項目２に記載の装置。
（項目４）
前記放射性物質は、前記伸長管状部材および支持体が前記患者から除去されるときに、前記支持体とともに前記放射性物質を除去するために、前記第２の狭いプロファイル構成における前記支持体とともに保定される、項目３に記載の装置。
（項目５）
前記放射性物質は、前記患者から除去するために前記支持体上で保定される複数の放射性シードを含む、項目４に記載の装置。
（項目６）
前記放射性物質は、流動性材料を含み、前記支持体は、前記流動性放射性物質を保定するように、１つまたはそれを上回る内部チャネルを備える、項目４に記載の装置。
（項目７）
前記伸長管状部材は、前記支持体が拡張構成を備えるときに、体液を通過させるように管腔を備え、前記体液は、尿もしくは間質液のうちの１つまたはそれを上回るものを含む、項目１に記載の装置。
（項目８）
前記伸長管状部材は、前記拡張可能支持体を膨張させるように、第２の管腔を備える、項目１に記載の装置。
（項目９）
前記拡張可能支持体は、バルーンもしくは複数の連結部材と接続される複数の支柱のうちの１つまたはそれを上回るものを備える、項目１に記載の装置。
（項目１０）
前記支持体は、前記支持体が前記拡張プロファイルを備えるときに、前記組織を処置する放射束密度を提供するために、空間的場所に前記放射性物質を配置するように構成される、項目１に記載の装置。
（項目１１）
前記放射性物質は、複数のシードを用いて前記組織を処置するために、前記支持体上の複数の場所に分配される複数のシードを備える、項目１に記載の装置。
（項目１２）
前記複数のシードのそれぞれは、所定の時間にわたって所定の放射線処置プロファイルを提供するために、半減期を有する放射性同位体の塊を含む、項目１１に記載の装置。
（項目１３）
前記複数のシードは、前記複数の場所に配列され、前記複数の場所のそれぞれから離れて前記支持体と係合させられる組織に放射線処置プロファイルを提供するために、少なくとも約１０の十分な数を含む、項目１１に記載の装置。
（項目１４）
前記支持体は、前記放射性物質を受容するように成形される複数の構造を備え、前記複数の構造は、複数のポケット、複数のチャネル、複数の外部チャネル、もしくは複数の開口部のうちの１つまたはそれを上回るものを備える、項目１に記載の装置。
（項目１５）
前記放射性物質は、前記支持体内に含まれる放射性物質の層を備える、項目１に記載の装置。
（項目１６）
組織を貫通するように成形される複数の返しをさらに備え、前記複数の返しは、前記放射性物質を備える、項目１に記載の装置。
（項目１７）
前記複数の返しのそれぞれは、前記支持体上の基部から先端まで延在する長さを備え、前記長さは、前記支持体が器官の内側に配置され、前記拡張プロファイルを備えるときに、前記器官の被膜を貫通するために十分である、項目１６に記載の装置。
（項目１８）
前記器官は、前立腺を含み、前記放射性物質は、被膜の外側に前記放射性物質を配置して転移性癌を処置するために、前記先端の近傍に位置する、項目１７に記載の装置。
（項目１９）
前記複数の返しは、前記狭いプロファイル構成から前記広いプロファイル構成までの前記支持体の拡張を伴って、前記患者に前記返しを埋め込むために、前記支持体に解放可能に連結される、項目１７に記載の装置。
（項目２０）
前記複数の返しは、前記広いプロファイル構成から前記狭いプロファイル構成までの前記支持体の後退とともに、前記患者から前記返しを除去するために、前記支持体に添着される、項目１７に記載の装置。
（項目２１）
前記放射性物質は、前記支持体が拡張するときに、前記組織に埋め込むために配列される複数のシードを備える、項目１に記載の装置。
（項目２２）
前記放射性物質は、放射性ヨウ素、放射性イリジウム、もしくは放射性パラジウムのうちの１つまたはそれを上回るものを含む、項目１に記載の装置。
（項目２３）
前記拡張可能支持体は、半径方向外向きに前記放射性物質を押勢し、前記組織を前記支持体と係合させるために、複数の支柱を用いて前記伸長管状部材に連結される、複数の長手方向に延在する部材を備える、項目２に記載の装置。
（項目２４）
前記伸長管状部材は、長手軸を備え、前記拡張可能支持体は、前記長手軸に沿って延在し、前記支持体は、前記長手軸から離れて半径方向外向きに拡張するように構成される、項目１に記載の装置。
（項目２５）
前記伸長管状部材は、尿道に沿って前記支持体を前進させるための十分な長手方向強度および挿入中に前記尿道に沿って屈曲するための可撓性を有する、カテーテルを備える、項目１に記載の装置。
（項目２６）
前記伸長管状部材の遠位端の近傍に位置する拡張可能アンカをさらに備え、前記アンカは、挿入するための狭いプロファイル構成から、前記支持体が前記組織に係合するときに前記伸長管状部材および前記支持体を保定するための拡張プロファイル構成まで拡張するように構成される、項目１に記載の装置。
（項目２７）
前記アンカが前記拡張構成を備えるときに、体液を受容するように、前記伸長管状部材の遠位端の近傍に開口部をさらに備える、項目２６に記載の装置。
（項目２８）
前立腺であって、被膜を備える前立腺を有する、患者を処置する装置であって、カテーテルが、尿を通過させるようなサイズにされる管腔を備える、伸長管状部材であって、少なくとも尿道の外部開口部から前記前立腺まで延在するようなサイズにされる長手方向長さを備える、伸長管状部材と、
前記伸長管状部材上の支持体であって、前記支持体は、前記伸長管状部材から離れて外向きに拡張し、前記被膜に隣接する組織に係合するように構成される、支持体と、
を備える、装置。
（項目２９）
前記拡張可能支持体は、前記前立腺内に嵌合するようなサイズにされる長手方向長さを備える、項目２８に記載の装置。
（項目３０）
前記支持体は、前記尿道に沿って前進するようなサイズにされる断面を有する、狭いプロファイル構成と、前記尿道に隣接する前記組織に係合するようなサイズにされる断面を有する、広いプロファイル構成とを備える、項目２８に記載の装置。
（項目３１）
前記伸長管状部材は、前記拡張可能支持体を拡張し、前記被膜に隣接する前記組織を前記拡張可能支持体と係合させるために、注入ポートから前記拡張可能支持体まで延在する第２の管腔を備える、項目３０に記載の装置。
（項目３２）
前記第２の管腔は、少なくとも部分的に前記前立腺内に配置される前記拡張可能支持体を拡張するために、前記前立腺の中に配置されるときに、前記尿道の前記外部開口部の外側から前記拡張可能支持体まで延在するようなサイズにされる、項目３１に記載の装置。
（項目３３）
前記支持体は、組織に係合するために流体の注入を用いて前記広いプロファイル構成を膨張させるように、および前記流体の除去を伴って除去のために前記狭いプロファイル構成まで後退するように構成される、バルーンを備える、項目３０に記載の装置。
（項目３４）
前記バルーンの中に配置されるときに、前記流体の通過を阻止するように、障壁構造を伴うアクセスポートをさらに備え、前記バルーン、前記伸長管状部材、前記障壁構造、および前記第２の管腔のそれぞれは、複数の日にわたって前記拡張構成で前記バルーンを保定するように構成される、項目３３に記載の装置。
（項目３５）
前記障壁構造は、弁、流体の注入および除去のために針で貫通可能な障壁材料のうちの１つまたはそれを上回るものを備える、項目３４に記載の装置。
（項目３６）
前記拡張可能支持体は、前記前立腺の長手方向寸法および前記前立腺の断面寸法の少なくとも約半分を横断して延在するようなサイズにされる、項目２８に記載の装置。
（項目３７）
前記拡張可能支持体は、前記拡張プロファイル構成を伴って、前記前立腺に隣接する前記組織を焼灼するように、１つまたはそれを上回る電極を備える、項目２８に記載の装置。
（項目３８）
前立腺であって、被膜を備える前立腺を有する、患者を処置する方法であって、
前記前立腺から組織を除去するステップと、
尿道の外部開口部から前記前立腺まで伸長管状部材を挿入するステップであって、前記伸長管状部材は、尿を通過させるようなサイズにされる管腔を備え、前記伸長管状部材は、少なくとも前記尿道の前記外部開口部から前記前立腺まで延在するようなサイズにされる長手方向長さを備える、ステップと、
を含み、前記伸長管状部材上の支持体は、前記伸長管状部材から離れて外向きに拡張し、前記被膜に隣接する組織に係合する、方法。
（項目３９）
前記支持体は、複数の日にわたって拡張プロファイル構成を備え、複数の日にわたって前記前立腺に隣接する前記組織に係合し、前記管腔は、前記複数の日にわたって尿を通過させる、項目３８に記載の方法。
（項目４０）
方法であって、前記項目のいずれか１項に記載の装置を使用するステップを含む、方法。
（項目４１）
組織処置のための装置であって、
伸長管状部材と、
前記伸長管状部材上の支持体と、
前記支持体上の放射性物質と、
を備え、前記支持体は、前記放射性物質を用いて前記組織を処置するために、前記伸長管状部材から離れて外向きに拡張し、前記組織に対して前記支持体を配置するように構成される、装置。
（項目４２）
前記拡張可能支持体は、前記組織を前記支持体と係合させ、広いプロファイル構成における前記支持体を用いて前記組織を処置するために、狭いプロファイル構成から前記広いプロファイル構成まで拡張するように構成される、項目１に記載の装置。
（項目４３）
前記拡張可能支持体は、前記支持体および前記伸長管状部材の除去のために、前記組織から離れて第２の狭いプロファイル構成まで後退するように構成される、項目２に記載の装置。
（項目４４）
前記放射性物質は、前記伸長管状部材および支持体が前記患者から除去されるときに、前記支持体とともに前記放射性物質を除去するために、前記第２の狭いプロファイル構成における前記支持体とともに保定される、項目３に記載の装置。
（項目４５）
前記放射性物質は、前記患者から除去するために前記支持体上で保定される複数の放射性シードを含む、項目４に記載の装置。
（項目４６）
前記放射性物質は、流動性材料を含み、前記支持体は、前記流動性放射性物質を保定するように、１つまたはそれを上回る内部チャネルを備える、項目４に記載の装置。
（項目４７）
前記伸長管状部材は、前記支持体が拡張構成を備えるときに、体液を通過させるように管腔を備え、前記体液は、尿もしくは間質液のうちの１つまたはそれを上回るものを含む、項目１に記載の装置。
（項目４８）
前記伸長管状部材は、前記拡張可能支持体を膨張させるように、第２の管腔を備える、項目１に記載の装置。
（項目４９）
前記拡張可能支持体は、バルーンもしくは複数の連結部材と接続される複数の支柱のうちの１つまたはそれを上回るものを備える、項目１に記載の装置。
（項目５０）
前記支持体は、前記支持体が前記拡張プロファイルを備えるときに、前記組織を処置する放射束密度を提供するために、空間的場所に前記放射性物質を配置するように構成される、項目１に記載の装置。
（項目５１）
前記放射性物質は、複数のシードを用いて前記組織を処置するために、前記支持体上の複数の場所に分配される複数のシードを備える、項目１に記載の装置。
（項目５２）
前記複数のシードのそれぞれは、所定の時間にわたって所定の放射線処置プロファイルを提供するために、半減期を有する放射性同位体の塊を含む、項目１１に記載の装置。
（項目５３）
前記複数のシードは、前記複数の場所に配列され、前記複数の場所のそれぞれから離れて前記支持体と係合させられる組織に放射線処置プロファイルを提供するために、少なくとも約１０の十分な数を含む、項目１１に記載の装置。
（項目５４）
前記支持体は、前記放射性物質を受容するように成形される複数の構造を備え、前記複数の構造は、複数のポケット、複数のチャネル、複数の外部チャネル、もしくは複数の開口部のうちの１つまたはそれを上回るものを備える、項目１に記載の装置。
（項目５５）
前記放射性物質は、前記支持体内に含まれる放射性物質の層を備える、項目１に記載の装置。
（項目５６）
組織を貫通するように成形される複数の返しをさらに備え、前記複数の返しは、前記放射性物質を備える、項目１に記載の装置。
（項目５７）
前記複数の返しのそれぞれは、前記支持体上の基部から先端まで延在する長さを備え、前記長さは、前記支持体が器官の内側に配置され、前記拡張プロファイルを備えるときに、前記器官の被膜を貫通するために十分である、項目１６に記載の装置。
（項目５８）
前記器官は、前立腺を含み、前記放射性物質は、被膜の外側に前記放射性物質を配置して転移性癌腫を処置するために、前記先端の近傍に位置する、項目１７に記載の装置。
（項目５９）
前記複数の返しは、前記狭いプロファイル構成から前記広いプロファイル構成までの前記支持体の拡張を伴って、前記患者に前記返しを埋め込むために、前記支持体に解放可能に連結される、項目１７に記載の装置。
（項目６０）
前記複数の返しは、前記広いプロファイル構成から前記狭いプロファイル構成までの前記支持体の後退を伴って、前記患者から前記返しを除去するために、前記支持体に添着される、項目１７に記載の装置。
（項目６１）
前記放射性物質は、前記支持体が拡張するときに、前記組織に埋め込むために配列される複数のシードを備える、項目１に記載の装置。
（項目６２）
前記放射性物質は、放射性ヨウ素、放射性イリジウム、もしくは放射性パラジウムのうちの１つまたはそれを上回るものを含む、項目１に記載の装置。
（項目６３）
前記拡張可能支持体は、半径方向外向きに前記放射性物質を押勢し、前記組織を前記支持体と係合させるために、複数の支柱を用いて前記伸長管状部材に連結される、複数の長手方向に延在する部材を備える、項目２に記載の装置。
（項目６４）
前記伸長管状部材は、長手軸を備え、前記拡張可能支持体は、前記長手軸に沿って延在し、前記支持体は、前記長手軸から半径方向外向きに拡張するように構成される、項目１に記載の装置。
（項目６５）
前記伸長管状部材は、尿道に沿って前記支持体を前進させるための十分な長手方向強度および挿入中に前記尿道に沿って屈曲するための可撓性を有する、カテーテルを備える、項目１に記載の装置。
（項目６６）
前記伸長管状部材の遠位端の近傍に位置する拡張可能アンカをさらに備え、前記アンカは、挿入するための狭いプロファイル構成から、前記支持体が前記組織に係合するときに前記伸長管状部材および前記支持体を保定するための拡張プロファイル構成まで拡張するように構成される、項目１に記載の装置。
（項目６７）
前記アンカが前記拡張構成を備えるときに、体液を受容するように、前記伸長管状部材の遠位端の近傍に開口部をさらに備える、項目２６に記載の装置。
（項目６８）
患者を処置する方法であって、
前記患者に挿入するために、第１の伸長管状部材と、第１の拡張可能支持体とを備える、第１のカテーテルを提供するステップと、
第２の伸長管状部材と、第２の拡張可能支持体であって、放射性物質を備える、第２の拡張可能支持体とを備える、第２のカテーテルを提供するステップと、
前記患者の器官から組織を除去するステップと、
前記患者から除去される前記組織に応答して、前記組織が癌組織を含むかどうかを判定するステップと、
前記患者に前記第１のカテーテルまたは前記第２のカテーテルを挿入するステップと、
を含む、方法。
（項目６９）
前記第１のカテーテルまたは前記第２のカテーテルは、前記組織が前記癌組織を含むかどうかに関する判定に応答して挿入される、項目６８に記載の方法。
（項目７０）
患者支持体上に前記患者を配置するステップをさらに含み、前記組織は、前記患者が前記患者支持体上に配置されているときに除去され、前記第１のカテーテルまたは前記第２のカテーテルは、前記患者が前記支持体上にある状態で前記患者の中に配置される、項目６８に記載の方法。
（項目７１）
前記第１の支持体または前記第２の支持体は、前記器官に挿入される、項目６８に記載の方法。
（項目７２）
前記患者から除去される前記組織に応答して、前記組織が癌組織を含むかどうかを判定するステップは、前記組織上の光吸収および散乱を検査すること、前記組織に蛍光分光法を行うこと、もしくは前記組織に光コヒーレンス領域反射測定法を行うことのうちの１つまたはそれを上回るものを含む、項目６８に記載の方法。
（項目７３）
前記患者から除去される前記組織に応答して、前記組織が癌組織を含むかどうかを判定するステップは、前記器官とともに前記組織を除去することと同時にリアルタイムで、前記組織が癌組織を含むかどうかを判定することを含む、項目６８に記載の方法。
（項目７４）
除去される前記組織に応答して、前記組織が癌組織を含むかどうかを判定するステップはさらに、前記組織が前癌組織を含むかどうかを判定することを含む、項目６８に記載の方法。
（項目７５）
前立腺であって、被膜を備える前立腺を有する、患者を処置する装置であって、カテーテルが、尿を通過させるようなサイズにされる管腔を備える、伸長管状部材であって、少なくとも尿道の外部開口部から前記前立腺まで延在するようなサイズにされる長手方向長さを備える、伸長管状部材と、
前記伸長管状部材上の支持体であって、前記支持体は、前記伸長管状部材から離れて外向きに拡張し、前記被膜に隣接する組織に係合するように構成される、支持体と、を備える、装置。
（項目７６）
前記拡張可能支持体は、前記前立腺内に嵌合するようなサイズにされる長手方向長さを備える、項目２８に記載の装置。
（項目７７）
前記支持体は、前記尿道に沿って前進するようなサイズにされる断面を有する、狭いプロファイル構成と、前記尿道に隣接する前記組織に係合するようなサイズにされる断面を有する、広いプロファイル構成とを備える、項目２８に記載の装置。
（項目７８）
前記伸長管状部材は、前記拡張可能支持体を拡張し、前記被膜に隣接する前記組織を前記拡張可能支持体と係合させるために、注入ポートから前記拡張可能支持体まで延在する第２の管腔を備える、項目３０に記載の装置。
（項目７９）
前記第２の管腔は、少なくとも部分的に前記前立腺内に配置される前記拡張可能支持体を拡張するために、前記前立腺の中に配置されるときに、前記尿道の前記外部開口部の外側から前記拡張可能支持体まで延在するようなサイズにされる、項目３１に記載の装置。
（項目８０）
前記支持体は、組織に係合するために流体の注入を用いて前記広いプロファイル構成に膨張させるように、および前記流体の除去を伴って除去のために前記狭いプロファイル構成まで後退するように構成される、バルーンを備える、項目３０に記載の装置。
（項目８１）
前記バルーンの中に配置されるときに、前記流体の通過を阻止するように、障壁構造を伴うアクセスポートをさらに備え、前記バルーン、前記伸長管状部材、前記障壁構造、および前記第２の管腔のそれぞれは、複数の日にわたって前記拡張構成で前記バルーンを保定するように構成される、項目３３に記載の装置。
（項目８２）
前記障壁構造は、弁、流体の注入および除去のために針で貫通可能な障壁材料のうちの１つまたはそれを上回るものを備える、項目３４に記載の装置。
（項目８３）
前記拡張可能支持体は、前記前立腺の長手方向寸法および前記前立腺の断面寸法の少なくとも約半分を横断して延在するようなサイズにされる、項目２８に記載の装置。
（項目８４）
前記拡張可能支持体は、前記拡張プロファイル構成を伴って、前記前立腺に隣接する前記組織を焼灼するように、１つまたはそれを上回る電極を備える、項目２８に記載の装置。
（項目８５）
前立腺であって、被膜を備える前立腺を有する、患者を処置する方法であって、
前記前立腺から組織を除去するステップと、
尿道の外部開口部から前記前立腺まで伸長管状部材を挿入するステップであって、前記伸長管状部材は、尿を通過させるようなサイズにされる管腔を備え、前記伸長管状部材は、少なくとも前記尿道の前記外部開口部から前記前立腺まで延在するようなサイズにされる長手方向長さを備える、ステップと、
を含み、前記伸長管状部材上の支持体は、前記伸長管状部材から離れて外向きに拡張し、前記被膜に隣接する組織に係合する、
方法。
（項目８６）
前記支持体は、複数の日にわたって拡張プロファイル構成を備え、複数の日にわたって前記前立腺に隣接する前記組織に係合し、前記管腔は、前記複数の日にわたって尿を通過させる、項目３８に記載の方法。
（項目８７）
前記支持体は、前記前立腺から除去される前記組織の診断検査に応答して、複数の支持体から選択される、項目３８に記載の方法。
（項目８８）
患者を処置する装置であって、
前記患者から組織のサンプルを除去する水ジェット源と、
手術の後に前記患者の癌を処置する放射性物質を備える、第１のカテーテルと、
放射性物質を用いずに手術の後に前記患者を処置する第２のカテーテルと、
前記患者の中に配置するための前記第１のカテーテルまたは前記第２のカテーテルを選択するために、前記サンプルを受容し、前記患者が前記癌を有するかどうかを判定するように構成される、デバイスと、
を備える、装置。
（項目８９）
前記デバイスは、前記癌の１つまたはそれを上回るバイオマーカーを識別するように構成される、項目８８に記載の装置。
（項目９０）
前記１つまたはそれを上回るバイオマーカーは、抗体、癌細胞マーカー、または前記癌の細胞の抗原、天然バイオマーカー、合成バイオマーカー、腫瘍タンパク質のうちの１つまたはそれを上回るものを含む、項目８９に記載の装置。
（項目９１）
前記デバイスは、器官の１つまたはそれを上回る癌を識別するように、１つまたはそれを上回る抗体を備える、項目８８に記載の装置。
（項目９２）
前記デバイスは、前立腺癌を識別するように構成される、項目８８に記載の装置。
（項目９３）
前記水ジェットは、前記患者が支持体上に配置されているときに前記サンプルを除去するように構成され、前記デバイスは、前記支持体上の前記患者に前記第１のカテーテルまたは前記第２のカテーテルを挿入するために、前記患者が前記支持体上にとどまるときに前記サンプルを受容し、前記患者が前記支持体上にとどまるときに診断を提供するように構成される、項目８８に記載の装置。
（項目９４）
前記水ジェットは、良性前立腺肥大を除去するように構成され、前記デバイスは、前記良性前立腺肥大の除去に応答して、癌を識別するように構成される、項目８８に記載の装置。
（項目９５）
方法であって、
水ジェットで処置される患者からサンプルを収集するステップと、
前記サンプルから癌の存在または非存在を判定するステップと、
を含む、方法。
（項目９６）
前記サンプルは、良性前立腺肥大から収集され、前記癌は、前立腺癌を含む、項目９５に記載の方法。
（項目９７）
前記サンプルは、前記患者が支持体上に配置されているときに収集され、前記癌の前記存在は、前記患者が前記支持体上にとどまるときに判定され、カテーテルが、前記癌の前記存在または前記非存在に応答して、前記患者が前記支持体上にとどまるときに前記患者に挿入される、項目９５に記載の方法。
（項目９８）
方法であって、前記項目のいずれか１項に記載の装置を使用するステップを含む、方法。